(57)【要約】【課題】本発明は、光ファイバ試験システムにおける作業を効率化することを目的とする。【解決手段】本発明の光ファイバ試験システムは、光通信ネットワークを管理する管理装置３０及びＯＮＵからＯＬＴまでの光損失地点を検出する光ファイバ試験装置２０を備える光ファイバ試験システムであって、光ファイバ試験装置２０は、ＯＮＵからＯＬＴまでのＯＴＤＲ波形を測定し、測定したＯＴＤＲ波形を用いて、ＯＮＵからＯＬＴまでの光伝送路における光損失地点を検出し、検出した光損失地点を、ＯＬＴからＯＮＵまでの光伝送路における光損失地点に変換し、変換後の光損失地点を、管理装置３０に送信し、管理装置３０は、光ファイバ試験装置２０から受信した光損失地点を表示する。【選択図】図５
2016076841.tif 000002
【特許請求の範囲】
【請求項１】
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムにおける前記光ファイバ試験装置であって、
前記加入者側装置から前記局側装置までのＯＴＤＲ波形を測定する測定部と、
測定したＯＴＤＲ波形を用いて、前記加入者側装置から前記局側装置までの光伝送路における光損失地点を検出する検出部と、
検出した光損失地点を、前記局側装置から前記加入者側装置までの光伝送路における光損失地点に変換する変換部と、
前記光ファイバ試験装置が、前記変換部で変換後の光損失地点を、前記管理装置に送信する通信部と、
を備える光ファイバ試験装置。
【請求項２】
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムであって、
前記光ファイバ試験装置は、前記加入者側装置から前記局側装置までのＯＴＤＲ波形を測定し、測定したＯＴＤＲ波形を用いて、前記加入者側装置から前記局側装置までの光伝送路における光損失地点を検出し、検出した光損失地点を、前記局側装置から前記加入者側装置までの光伝送路における光損失地点に変換し、変換後の光損失地点を、前記管理装置に送信し、
前記管理装置は、前記光ファイバ試験装置から受信した光損失地点を表示する、
光ファイバ試験システム。
【請求項３】
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムであって、
前記光ファイバ試験装置は、前記加入者側装置から前記局側装置までのＯＴＤＲ波形を測定し、測定したＯＴＤＲ波形を用いて、前記加入者側装置から前記局側装置までの光伝送路における光損失地点を検出し、検出した光損失地点を、前記管理装置に送信し、
前記管理装置は、前記光ファイバ試験装置から受信した光損失地点を、前記局側装置から前記加入者側装置までの光伝送路における光損失地点に変換して表示する、
光ファイバ試験システム。
【請求項４】
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムにおける前記光ファイバ試験装置の光ファイバ試験方法であって、
前記加入者側装置から前記局側装置までのＯＴＤＲ波形を測定する測定手順と、
測定したＯＴＤＲ波形を用いて、前記加入者側装置から前記局側装置までの光伝送路における光損失地点を検出する検出手順と、
検出した光損失地点を、前記局側装置から前記加入者側装置までの光伝送路における光損失地点に変換する変換手順と、
前記変換手順で変換後の光損失地点を、前記管理装置に送信する送信手順と、
を順に有する光ファイバ試験方法。
【請求項５】
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムにおける光ファイバ試験方法であって、
前記加入者側装置から前記局側装置までのＯＴＤＲ波形を測定する測定手順と、
測定したＯＴＤＲ波形を用いて、前記加入者側装置から前記局側装置までの光伝送路における光損失地点を検出する検出手順と、
検出した光損失地点を、前記管理装置に送信する送信手順と、
前記管理装置が、前記加入者側装置から受信した光損失地点を、前記局側装置から前記加入者側装置までの光伝送路における光損失地点に変換して表示する変換手順と、
を順に有する光ファイバ試験方法。
【発明の詳細な説明】
【技術分野】
【０００１】
本発明は、光通信ネットワークにおけるイベント発生地点を検出する光ファイバ試験装置及び光ファイバ試験システムに関する。
【背景技術】
【０００２】
近年モバイルネットワークの発展により、従来の同軸ケーブルを用いていた無線設備においても、大容量通信の収容を目的に光ファイバケーブルに置き換えられてきている。光ファイバケーブルは同軸ケーブルに比べ、扱いに注意を必要とするが、従来同軸ケーブルを取り扱っていた作業者が作業にあたるため、取り扱いに不慣れなケースが多くなってきている。また、光ファイバケーブルの建設保守時においては、施工状態を確認するための測定器（ＯＴＤＲ：Ｏｐｔｉｃａｌ  Ｔｉｍｅ  Ｄｏｍａｉｎ  Ｒｅｆｌｅｃｔｏｍｅｔｅｒ）が必須である。このように、光ファイバケーブルへの移行においては、作業者への教育が必須である。
【０００３】
こうした中、通信事業者では、光ファイバケーブル建設保守時の作業効率向上のため、専用測定器の取り扱いになれた作業者が、局舎から複数の現場作業者を遠隔にて管理監督および、測定サポートを行い、コストを抑えようといった流れが出てきている（例えば、非特許文献１参照。）。ここで、ＯＴＤＲ測定作業に注目すると、現場での作業者においては、例えば加入者側装置の配置される現場（ユーザ宅）から局側装置の配置される局舎に向けて、ＯＴＤＲ測定を行う。局舎側からの確認は、局舎側からユーザ宅へ向けた測定結果を期待する。
【先行技術文献】
【非特許文献】
【０００４】
【非特許文献１】村上太一、牧  達幸、福嶋大輝、山崎智英、「ＭＴ９０８３  アクセスマスタ  Ｆｉｂｅｒ  Ｖｉｓｕａｌｉｚｅｒおよび光コネクタ端面検査機能の開発」、アンリツテクニカル、Ｎｏ．８９、２０１４年３月ｈｔｔｐ：／／ｄｏｗｎｌｏａｄｆｉｌｅ．ａｎｒｉｔｓｕ．ｃｏｍ／ＲｅｆＦｉｌｅｓ／ｊａ−ＪＰ／Ａｂｏｕｔ−Ａｎｒｉｔｓｕ／Ｒ＿Ｄ／Ｔｅｃｈｎｉｃａｌ／８９／８９＿０１１．ｐｄｆ
【発明の概要】
【発明が解決しようとする課題】
【０００５】
ところが、局舎側から作業者（監督者）が遠隔制御にて現場の測定器画面を確認した際は、ユーザ宅から局舎側へ向けての測定結果を表示している。これでは、局舎側から確認する作業者が、不具合位置をイメージしにくい。本発明はこの状態を改善するために考えられたもので、光ファイバ試験システムにおける作業を効率化することを目的とする。
【課題を解決するための手段】
【０００６】
上記目的を達成するために、本発明の光ファイバ試験装置は、
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムにおける前記光ファイバ試験装置であって、
前記加入者側装置から前記局側装置までのＯＴＤＲ波形を測定する測定部と、
測定したＯＴＤＲ波形を用いて、前記加入者側装置から前記局側装置までの光伝送路における光損失地点を検出する検出部と、
検出した光損失地点を、前記局側装置から前記加入者側装置までの光伝送路における光損失地点に変換する変換部と、
前記光ファイバ試験装置が、前記変換部で変換後の光損失地点を、前記管理装置に送信する通信部と、
を備える。
【０００７】
上記目的を達成するために、本発明の光ファイバ試験システムは、
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムであって、
前記光ファイバ試験装置は、前記加入者側装置から前記局側装置までのＯＴＤＲ波形を測定し、測定したＯＴＤＲ波形を用いて、前記加入者側装置から前記局側装置までの光伝送路における光損失地点を検出し、検出した光損失地点を、前記局側装置から前記加入者側装置までの光伝送路における光損失地点に変換し、変換後の光損失地点を、前記管理装置に送信し、
前記管理装置は、前記光ファイバ試験装置から受信した光損失地点を表示する。
【０００８】
上記目的を達成するために、本発明の光ファイバ試験システムは、
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムであって、
前記光ファイバ試験装置は、前記加入者側装置から前記局側装置までのＯＴＤＲ波形を測定し、測定したＯＴＤＲ波形を用いて、前記加入者側装置から前記局側装置までの光伝送路における光損失地点を検出し、検出した光損失地点を、前記管理装置に送信し、
前記管理装置は、前記光ファイバ試験装置から受信した光損失地点を、前記局側装置から前記加入者側装置までの光伝送路における光損失地点に変換して表示する。
【０００９】
上記目的を達成するために、本発明の光ファイバ試験方法は、
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムにおける前記光ファイバ試験装置の光ファイバ試験方法であって、
前記加入者側装置から前記局側装置までのＯＴＤＲ波形を測定する測定手順と、
測定したＯＴＤＲ波形を用いて、前記加入者側装置から前記局側装置までの光伝送路における光損失地点を検出する検出手順と、
検出した光損失地点を、前記局側装置から前記加入者側装置までの光伝送路における光損失地点に変換する変換手順と、
前記変換手順で変換後の光損失地点を、前記管理装置に送信する送信手順と、
を順に有する。
【００１０】
上記目的を達成するために、本発明の光ファイバ試験方法は、
局側装置に接続される１本の光ファイバと複数の加入者側装置にそれぞれ接続される複数本の光ファイバとが接続された光通信ネットワークを管理する管理装置及び前記加入者側装置から前記局側装置までの光損失地点を検出する光ファイバ試験装置を備える光ファイバ試験システムにおける光ファイバ試験方法であって、
前記加入者側装置から前記局側装置までのＯＴＤＲ波形を測定する測定手順と、
測定したＯＴＤＲ波形を用いて、前記加入者側装置から前記局側装置までの光伝送路における光損失地点を検出する検出手順と、
検出した光損失地点を、前記管理装置に送信する送信手順と、
前記管理装置が、前記加入者側装置から受信した光損失地点を、前記局側装置から前記加入者側装置までの光伝送路における光損失地点に変換して表示する変換手順と、
を順に有する。
【発明の効果】
【００１１】
本発明によれば、光ファイバ試験システムにおける作業を効率化することができる。
【図面の簡単な説明】
【００１２】
【図１】本実施形態に係る光通信ネットワークの一例を示す。
【図２】光ファイバ試験装置の構成例を示す。
【図３】管理装置の構成例を示す。
【図４】光ファイバ試験装置の検出したイベントの一例を示す。
【図５】ＯＬＴからＯＮＵまでの光伝送路に変換後のイベントの一例を示す。
【図６】イベント発生地点を変換する指示の一例を示す説明図である。
【発明を実施するための形態】
【００１３】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００１４】
（実施形態１）
図１に、本実施形態に係る光通信ネットワークの一例を示す。本実施形態に係る光通信ネットワークは、例えば、局側装置としてのＯＬＴ９１と加入者側装置としてのＯＮＵ９２を備えるＰＯＮ（Ｐａｓｓｉｖｅ  Ｏｐｔｉｃａｌ  Ｎｅｔｗｏｒｋ）である。ＰＯＮは、複数本の光ファイバが複数のＯＮＵ９２にそれぞれ接続され、１本以上の光ファイバが１個のＯＬＴ９１に接続され、ＯＬＴ９１側の各光ファイバとＯＮＵ９２側の複数本の光ファイバが接続されている。ＯＬＴ９１とＯＮＵ９２の間には、１つ以上の光スプリッタ９３が挿入されている。以下においては、一例として、図１に示したＯＮＵ９２−１からＯＬＴ９１までの導通状態を検出する場合について説明する。
【００１５】
本実施形態に係る光ファイバ試験システムは、管理装置と、光ファイバ試験装置と、を備える。管理装置は、ＯＬＴ９１と共に局舎に配置され、光通信ネットワークを管理する。光ファイバ試験装置は、ＯＮＵ９２−１に接続される光ファイバＰ１−１−１に接続され、ＯＮＵ９２−１からＯＬＴ９１までの導通状態を検出する。
【００１６】
図２に、光ファイバ試験装置の構成例を示す。光ファイバ試験装置２０は、測定部１１と、演算処理部２１と、表示部１４と、通信部２２と、記憶部２３を備える。演算処理部２１は、検出部及び変換部として機能する。図６に、光ファイバ試験装置２０の具体的な構成例を示す。図３に、管理装置の構成例を示す。管理装置３０は、演算処理部３１と、通信部３２と、記憶部３３と、表示部３４を備える。
【００１７】
光ファイバ試験装置２０の通信部２２と管理装置３０の通信部３２は通信を行う。通信方法は任意であり、例えば、光ファイバＰ１−１−１を用いてもよいし、光ファイバＰ１−１−１と並列に配置されている光ファイバＰ１−１−２を用いてもよいし、これら以外の無線通信を用いてもよい。
【００１８】
本実施形態に係る導通検出方法は、測定手順と、検出手順と、変換手順と、送信手順と、を順に有する。
【００１９】
少なくとも検出手順までの前に、光ファイバ試験装置２０の通信部２２は、管理装置３０の通信部３２から光通信ネットワークのネットワーク構成を取得する。記憶部２３は、通信部２２の受信したネットワーク構成を記憶する。ＯＮＵ９２−１からＯＬＴ９１までのネットワーク構成は、例えば、光ファイバＰ１−１−１が４分岐の光スプリッタ９３−２に接続され、光スプリッタ９３−２が光ファイバＰ１−１を経由して光スプリッタ９３−１に接続され、光スプリッタ９３−１が光ファイバＰ１を経由してＯＬＴ９１に接続されている旨である。
【００２０】
測定手順では、光ファイバ試験装置２０の測定部１１が、ＯＮＵ９２−１からＯＬＴ９１に向けてパルス光を入射し、ＯＮＵ９２−１からＯＬＴ９１までのＯＴＤＲ波形を測定する。
【００２１】
検出手順では、光ファイバ試験装置２０の演算処理部２１が、検出部として機能し、測定したＯＴＤＲ波形を用いて、ＯＮＵ９２−１からＯＬＴ９１までの光伝送路における光損失地点であるイベント発生地点を検出する。このときに、演算処理部２１は、検出した光損失地点と記憶部２３に記憶されているネットワーク構成を照合し、各イベント発生地点におけるイベントを判定する。
【００２２】
例えば、光ファイバ試験装置２０から４ｋｍの位置にイベント発生地点が存在し、その地点に光スプリッタ９３−２が配置されていることが記憶部２３に記憶されている場合、光ファイバ試験装置２０から４ｋｍの損失発生は光スプリッタ９３−２によるものであると判定する。イベントは、例えば、光コネクタ、光スプリッタ、遠端、マクロベンド又はスプライスロスである。光ファイバ試験装置２０の表示部１４は、各イベント発生地点におけるイベントを表示する。
【００２３】
図４に、表示部１４の表示例を示す。イベントＮｏ．５が光スプリッタ９３−２、イベントＮｏ．６が光スプリッタ９３−１、イベントＮｏ．７が遠端として表示されている。遠端は、ＯＬＴ９１であり、光ファイバ試験装置２０から６ｋｍの位置に配置されていることが分かる。また、イベントＮｏ．１から４までは光ファイバＰ１−１−１で発生したイベントであることが分かる。イベントＮｏ．１，２，４については、光ファイバ試験装置２０の記憶部２３にネットワーク構成として記憶されているため、各イベントに応じたアイコンが表示されているが、イベントＮｏ．３については記憶部２３に記憶されていない。この場合、イベントＮｏ．３の部分に損失が生じている旨を表すアイコンを表示する。
【００２４】
このように、光ファイバ試験装置２０は、光ファイバケーブルの後方散乱光の時間変化を画面に表示するだけでなく、光ファイバケーブル上に生じるイベントをアイコンによりその位置と共に表示し、作業者に認識しやすくしている。
【００２５】
光通信ネットワークを管理する際には、通常、ＯＬＴ９１からの距離で管理する。しかし、図４に示すアイコンは、ＯＴＤＲの位置を０ｋｍとして位置表示している。そのため、遠端側から見たときのイベント位置を得るためには、換算する必要がある。ＯＴＤＲの目的は、不具合位置を特定し、その不具合を解消するための手助けをすることになるが、一般的に不具合位置を特定するためには、目標となる特定できるイベント（例えばここから３番目の電柱のコネクタ接続）を起点に不具合位置を特定することとなる。そこで、変換手順を行う。
【００２６】
変換手順では、光ファイバ試験装置２０の演算処理部２１が、変換部として機能し、検出したイベント発生地点を、ＯＬＴ９１からＯＮＵ９２−１までの光伝送路におけるイベント発生地点に変換する。このとき、上記例の「ここから」という表現は、実際の現場の作業者が見た場合はＯＴＤＲ測定した位置からとなるが、遠隔で画面確認している作業者から見た場合は遠端側となる。そこで、本実施形態では、演算処理部２１は、イベント発生地点をＯＬＴ９１からの距離に変換し、表示部１４に表示する。このとき、演算処理部２１は、変換後のイベント発生地点を記憶部２３に記憶することが好ましい。これにより、作成すべきＯＴＤＲの測定レポートの作成が容易になる。
【００２７】
図５に、表示部３４の表示例を示す。図４において６ｋｍ地点に表示されていたＯＬＴ９１が０ｋｍ地点となっている。また、図４では５ｋｍ地点に表示されていた光スプリッタ９３−１が１ｋｍ地点となり、図４では４ｋｍ地点に表示されていた光スプリッタ９３−２が２ｋｍ地点となっている。図４において２ｋｍ地点に表示されていたイベントＮｏ．３の光損失地点は、ＯＬＴ９１から距離４ｋｍの地点であり、かつ、イベントＮｏ．４とイベントＮｏ．６との中間にあるイベントＮｏ．５であることが分かる。
【００２８】
このとき、図６に示す光ファイバ試験装置２０の入力部１７からの指示を契機に、ボタン一つで、表示を切り替え、遠端側を０ｋｍにしてイベント位置を算出しなおすことが出来る機能を提供することで、効率良く不具合箇所の特定を実施する。入力部１７は、例えば、パラメータの設定等を行うロータリーエンコーダ１７ａ及び選択・決定キー１７ｂを含む。入力部１７からの指示は、例えば、表示部１４に表示されている画面上のボタンを選択・決定キー１７ｂで選択し、決定することにより実施する。また、光ファイバ試験装置２０に重力方向を検出する加速度計を設け、図６に示すように、光ファイバ試験装置２０の上下を回転させて左右を反転させることを入力部１７からの指示としてもよい。
【００２９】
送信手順では、光ファイバ試験装置２０の通信部２２が、変換後のイベント発生地点を、管理装置３０に送信する。管理装置３０の通信部３２が変換後のイベント発生地点を受信すると、演算処理部３１は、受信したイベント発生地点を記憶部３３に記憶する。
【００３０】
管理装置３０の作業者は、イベントＮｏ．４及びＮｏ．５の近くにいる作業者に対し、イベントＮｏ．４から１ｋｍの４ｋｍ地点に損失があることを通知する。このとき、管理装置３０の通信部３２は、図５に示すような変換後のイベント発生地点を、通知先の作業者の操作する光ファイバ試験装置２０へ送信する。これにより、通知先の作業者は、光ファイバ試験装置２０の表示部１４の表示で光損失地点を特定することができる。通知先の作業者は、何らの演算処理を行うことなくイベント発生地点を特定することができるため、迅速に間違いなく損失に対する対処を行うことができる。
【００３１】
以上説明したように、本実施形態に係る光ファイバ試験装置２０及びこれを備える光ファイバ試験システムは、イベント発生地点をＯＬＴ９１からの距離に変換するため、光通信ネットワークを管理するデータベースとの照合が容易になる。
【００３２】
（実施形態２）
実施形態１では光ファイバ試験装置２０の演算処理部２１がイベント発生地点をＯＬＴ９１からの距離に変換したが、本実施形態ではこの変換を管理装置３０が行う。
【００３３】
本実施形態に係る導通検出方法は、測定手順と、検出手順と、送信手順と、変換手順と、を順に有する。測定手順及び検出手順は、実施形態１と同様である。
【００３４】
送信手順では、光ファイバ試験装置２０の通信部２２が、図４に示すような変換前のイベント発生地点を、管理装置３０に送信する。管理装置３０の通信部３２が変換前のイベント発生地点を受信すると、演算処理部３１は、受信したイベント発生地点を記憶部３３に記憶する。
【００３５】
光ファイバ試験装置２０から受信したイベント発生地点は、ＯＴＤＲの位置を０ｋｍとして位置表示している。そこで、変換手順を行う。変換手順では、管理装置３０の演算処理部３１が、変換部として機能し、光ファイバ試験装置２０から受信したイベント発生地点を、ＯＬＴ９１からＯＮＵ９２−１までの光伝送路におけるイベント発生地点に変換する。変換の詳細については実施形態１と同様である。
【００３６】
管理装置３０の作業者は、イベントＮｏ．４及びＮｏ．５の近くにいる作業者に対し、イベントＮｏ．４から１ｋｍの４ｋｍ地点に損失があることを通知する。このとき、管理装置３０の通信部３２は、図５に示すような変換後のイベント発生地点を、通知先の作業者の操作する光ファイバ試験装置２０へ送信する。これにより、通知先の作業者は、光ファイバ試験装置２０の表示部１４の表示で光損失地点を特定することができる。通知先の作業者は、何らの演算処理を行うことなくイベント発生地点を特定することができるため、迅速に間違いなく損失に対する対処を行うことができる。
【００３７】
以上説明したように、本実施形態に係る光ファイバ試験装置２０及びこれを備える光ファイバ試験システムは、イベント発生地点をＯＬＴ９１からの距離に変換するため、光通信ネットワークを管理するデータベースとの照合が容易になる。また本実施形態では、管理装置３０が変換を行うため、光ファイバ試験装置２０の演算処理を減らすことができる。
【産業上の利用可能性】
【００３８】
本発明は情報通信産業に適用することができる。
【符号の説明】
【００３９】
１１：ＯＴＤＲ
１４：表示部
１７：入力部
１７ａ：ロータリーエンコーダ
１７ｂ：選択・決定キー
２０：光ファイバ試験装置
２１：演算処理部
２２：通信部
２３：記憶部
３０：管理装置
３１：演算処理部
３２：通信部
３３：記憶部
３４：表示部
９１：ＯＬＴ
９２−１、９２−２、９２−３：ＯＮＵ
９３−１、９３−２、９３−３：光スプリッタ
【図１】
2016076841.tif 000003
【図２】
2016076841.tif 000004
【図３】
2016076841.tif 000005
【図４】
2016076841.tif 000006
【図５】
2016076841.tif 000007
【図６】
2016076841.tif 000008